(57)【要約】【課題】所望のデータ放送を予約及び印刷する。【解決手段】ＣＰＵ２０９が、受信したＥＰＧ情報を元にＯＳＤデータを作成し、画像データ記憶手段２０４に記憶する。表示データ生成手段２０５は、テレビ放送等のビデオ信号にＯＳＤデータを合成した状態で、ＮＴＳＣ方式に変換し、モニタ３に印加する。使用者は、ＯＳＤ上で所望の番組を予約番組として選択する。その予約番組の情報（予約番組情報）が予約情報記憶手段２１３に記憶される。選局手段２１４は、予約情報記憶手段２１３を監視し、予約した番組の放送時刻になると、その番組を選局する。使用者が指定した時刻に必要とするデータ放送の表示情報を印刷するために、予約された番組の画像データを指定時刻まで画像データ記憶手段に記憶しておき、指定時刻に印刷が終了するようにプリンタ２に印刷データを出力する。【選択図】  図３
2004241881.tif 000002
【特許請求の範囲】
【請求項１】
番組情報を含むデータ放送を受信する放送受信手段と、
前記放送受信手段から番組情報を受け取り記憶する番組情報記憶手段と、
前記番組情報記憶手段に記憶されている内容から目的のデータ放送番組を検出する番組検出手段と、
前記番組検出手段によって検出された番組情報を記憶する検出結果記憶手段と、
前記検出結果記憶手段の中から予約番組を選択する番組予約手段と、
前記番組予約手段で選択された前記予約番組のチャンネル及び放送日時を示す予約番組情報を記憶する予約情報記憶手段と、
前記予約情報記憶手段を監視し、前記予約番組の放送日時になったら前記放送受信手段に対して選局をする選局手段と、
前記選局手段により選局されたデータ放送番組を前記放送受信手段から受け取り、復号し、画像データを抽出する復号手段と、
前記復号手段により抽出された画像データを記憶する画像データ記憶手段と、
前記画像データ記憶手段のデータから、印刷出力に適した印刷データを生成する印刷データ生成手段
とを有することを特徴とするデータ放送受信装置。
【発明の詳細な説明】
【０００１】
【発明の属する技術分野】
本発明は、データ放送受信装置に関し、より具体的には、文字情報または映像情報を持つデータ放送を予約し、その内容を印刷するのに適したデータ放送受信装置に関する。
【０００２】
【従来の技術】
従来、デジタルテレビ放送の番組選択方法として、ＩＲＤ〈Ｉｎｔｅｇｒａｔｅｄ  Ｒｅｃｅｉｖｅｒ／Ｄｅｃｏｄｅｒ〉により受信した放送データ中の番組情報を表示させる電子番組ガイド（ＥＰＧ）システムが知られている。図２は、従来のｌＲＤの構成例を示す。
【０００３】
２０１は、衛星、ＣＡＴＶ又は地上波等のデジタルテレビ放送信号を受信し、復調し、エラーを訂正してＭＰＥＧ２トランスポートストリーム（ＴＳ）を出力する放送受信手段である。２０２は、ＴＳをそのＰＩＤ（Ｐａｃｋｅｔ  ＩＤ）によりビデオ、オーディオ及びその他のデータの各ストリームに分別するデマルチプレクサである。２０３は、デマルチプレクサ２０２により分別されたＭＰＥＧビデオデータを復号するＭＰＥＧビデオデコーダである。２０４は、ＭＰＥＧビデオデコーダ２０３により復号された映像信号とＣＰＵ２０９により作られたＯＳＤ用の画像を記憶する表示データ記憶手段であり、書き換え可能メモリからなる。２０５は、表示データ記憶手段２０４に記憶されたデータを表示形式に合った信号形式、例えばＮＴＳＣ方式に変換する表示データ生成手段である。
【０００４】
２０６は、デマルチプレクサ２０２により分別されたＭＰＥＧオーディオ信号を復号するＭＰＥＧオーディオデコーダである。２０７は、ＭＰＥＧオーディオデコーダ２０６により復号された音声信号を記憶する音声データ記憶手段であり、書き換え可能メモリからなる。２０８は、音声データ記憶手段２０７に記憶されたデータをアナログ信号に変換するＤ／Ａ変換器である。
【０００５】
２０９は、各部を制御するＣＰＵ（中央処理装置）である。ＣＰＵ２０９は、特に、デマルチプレクサ２０２により分別されたデータ信号からＥＰＧ情報を読み取り、図示しないリモコン等で番粗選択を行う際の表示データ（ＯＳＤデータ）を作成して表示データ記憶手段２０４に記憶させ、番組選択の結果を予約情報記憶手段２１３に記憶させる。
【０００６】
２１０は、ＣＰＵ、ＲＯＭ及びＲＡＭ等から構成されるＩＣカードの読取装置（図示せず。）を含み、ＩＣカードに含まれている暗号解読キーと解読プログラムを用いてデマルチプレクサ２０２に暗号化ＴＳを解読させるコンディショナル・アクセス・モジュール（ＣＡＭ）である。２１１は、随時更新されるＥＰＧ情報を記憶する書き換え可能なメモリからなる番組情報記憶手段である。
【０００７】
２１２は、図示しないリモコン等の操作により、番組情報記憶手段２１１に記憶されている番組を検出し、検出した番組の情報（番組選択情報）を、表示する際には選局手段２１４に供給し、予約する際には予約情報記憶手段２１３に供給する番組検出予約手段である。番組選択情報は、予約された番組のチャンネル、衛星の場合はトランスポンダ、及び放送時間の各情報を含む。予約情報記憶手段２１３は書き換え可能メモリからなる。
【０００８】
選局手段２１４は、放送中の番組を表示する場合には、番組検出予約手段２１２により番組情報記憶手段２１１の中から選択された番組の選択情報であるチャンネル、衛星の場合はトランスポンダを放送受信手段２０１に設定する。予約番組を受信する場合、選局手段は、予約情報記憶手段２１３に記憶されている番組の放送時間になったら、その番組の選択情報であるチャンネル、衛星の場合はトランスポンダを放送受信手段２０１に設定し、放送が終了したら、予約情報記憶手段２１３に記憶されている情報を削除又は処理済に変更する。
【０００９】
使用者がデジタルテレビ放送を視聴するには、ＩＲＤを用いて、ＴＳを映像、音声及びその他のデータ信号に分離し、それぞれを復号しなければならない。放送受信手段２０１は、デジタルテレビ放送信号を受信し、復調し、エラーを訂正する。デマルチプレクサ２０２は、放送受信手段２０１の出力信号を、ＭＰＥＧビデオ信号、ＭＰＥＧオーディオ信号及びその他のデータ信号に分離する。その他のデータ信号には、ＥＰＧ情報、文字放送等の文字情報、映像情報、音声情報及びプログラム等が含まれている。暗号化されたＴＳの場合、ＣＡＭ２１０は、暗号解読キーと解読プログラムを必要とする。
【００１０】
ＭＰＥＧビデオデコーダ２０３は、ＭＰＥＧ方式で圧縮されているビデオ信号を復号し、表示データ記憶手段２０４に記憶する。表示データ生成手段２０５は、表示データ記憶手段に記憶されるビデオ信号をＮＴＳＣ方式に変換する。
【００１１】
ＭＰＥＧオーディオデコーダ２０６は、ＭＰＥＧ方式で圧縮されているオーディオ信号を復号し、音声データ記憶手段２０７を介してＤ／Ａ変換器２０８に印加する。Ｄ／Ａ変換器２０８は、音声データ記憶手段２０７からの音声データをアナログ信号に変換し、左チャンネルと右チャンネルのステレオ音声信号を出力する。
【００１２】
ＣＰＵ２０９は、受信したＥＰＧ情報を基にＯＳＤデータを作成し、表示データ記憶手段２０４に記憶する。これにより、ビデオ信号にＯＳＤデータが合成される。その合成画像が、表示データ生成手段２０５によりＮＴＳＣ方式変換され、モニタに表示される。使用者は、図示しないリモコン等を用いてＯＳＤ上で予約したい番組を選択する。選択された番組の情報が、予約情報記憶手段２１３に記憶される。選局手段２１４は予約情報記憶手段２１３を監視し、予約番組の放送時刻になると、予約された番組のチャンネルを選局する。
【００１３】
放送中の映像を印刷する場合、表示データ生成手段２０５から出力されるＮＴＳＣ方式の信号データを印刷用に変換して、プリンタに供給する。
【００１４】
【発明が解決しようとする課題】
従来、放送を受信し印刷出来るものはあったが、画面に出力している画像をそのまま印刷するだけである。番組予約を行い、所定の時間に印刷に適した文字の大きさで印刷する機能を持つものはなかった。
【００１５】
更に、デジタル放送のように、たくさんの番組から目的の番組を探す方法も、いわゆるデジタルテレビ放送の受信に対するものはあったが、データ放送の印刷に使用可能なものは無かった。
【００１６】
本発明は、このような要望に鑑み、所望のデータ放送を予約及び印刷するデータ放送受信装置を提示することを目的とする。
【００１７】
【課題を解決するための手段】
このような課題を解決するため、本発明に係るデータ放送受信装置は、番組情報を含むデータ放送を受信する放送受信手段と、前記放送受信手段から番組情報を受け取り記憶する番組情報記憶手段と、前記番組情報記憶手段に記憶されている内容から目的のデータ放送番組を検出する番組検出手段と、前記番組検出手段によって検出された番組情報を記憶する検出結果記憶手段と、前記検出結果記憶手段の中から予約番組を選択する番組予約手段と、前記番組予約手段で選択された前記予約番組のチャンネル及び放送日時を示す予約番組情報を記憶する予約情報記憶手段と、前記予約情報記憶手段を監視し、前記予約番組の放送日時になったら前記放送受信手段に対して選局をする選局手段と、前記選局手段により選局されたデータ放送番組を前記放送受信手段から受け取り、復号し、画像データを抽出する復号手段と、前記復号手段により抽出された画像データを記憶する画像データ記憶手段と、前記画像データ記憶手段のデータから、印刷出力に適した印刷データを生成する印刷データ生成手段とを有することを特徴とする。
【００１８】
【実施例】
以下、図面を参照して、本発明の一実施例を詳細に説明する。
【００１９】
（第１実施例）
図１は、本発明の第１実施例のシステム構成例を示す。１は放送を受信し、受信結果を出力するＩＲＤである。２は、ＩＲＤ１が出力した内容を印刷するプリンタである。３は、番組の映像及び音声、並びにＩＲＤ１のＯＳＤ情報を出力するモニタである。４はデジタルテレビ放送信号を受信するアンテナである。５は、ＩＲＤ１からプリンタ２にデータを伝送するプリンタケーブルである。６は、ＩＲＤ１からモニタ３に映像音声信号を伝送するモニタケーブルである。７はアンテナ４からＩＲＤ１に信号を伝送するアンテナケーブルである。
【００２０】
使用者がデジタルテレビ放送を視聴する場合、ＩＲＤ１が、アンテナ４からの信号を受信する。ＩＲＤ１は、信号を分離及び復号した結果の映像音声信号をモニタ３に印加する。映像音声信号は、モニタケーブル６を介してモニタ３に伝送される。また、ＩＲＤ１で描画されたＥＰＧ情報も、映像信号と共にモニタ３に出力される。使用者は、図示しないリモコン等を用いてこのＥＰＧ情報を元に時間、チャンネル及びジャンル等毎に分けられた番組を選択する。文字放送等のデータ放送の番組も、ＥＰＧ情報を参照して選択できる。
【００２１】
図３は、ＩＲＤ１の内部構成例を示す。手段２０１〜２１４は、従来例の同じ符号の手段と同等の機能を具備する。図３では、表示データ記憶手段２０４が無くなっている。ＣＰＵ２０９は、データ放送のデータ信号を復号する機能を持つ。
【００２２】
３０１は、ＭＰＥＧビデオデコーダ２０３により復号された映像信号と、ＣＰＵ２０９により作られたＯＳＤ用の画像と、ＣＰＵ２０９によりデータ放送の文字データや画像データを復号した画像を記憶する画像データ記憶手段であり、書き換え可能メモリからなる。
【００２３】
３０２は、画像データ記憶手段３０１に記憶されたデータ放送の画像データから、プリンタ２によって印刷可能な印刷データ信号を生成する印刷データ生成手段である。
【００２４】
使用者が、データ放送の文字・図形を印刷する際、モニタ３に表示されたＥＰＧ情報を元に、データ放送の番組を図示しないリモコン等を用いて選択する。選択された番組の放送内容が、放送受信手段２０１及びデマルチプレクサ２０２を経由してＣＰＵ２０９に供給される。ＣＰＵ２０９は、入力した放送内容を復号し、放送内容を示す画像情報を画像データ記憶手段３０１に格納する。印刷データ生成手段３０２は、画像データ記憶手段３０１の記憶内容を印刷用に変換して、プリンタ２に印加する。これにより、所望のデータ放送の放送内容が高品質で印刷される。
【００２５】
本実施例では、印刷したい情報を含んでいる番組を以下のように予約する。即ち、ＣＰＵ２０９が、受信したＥＰＧ情報を元にＯＳＤデータを作成し、画像データ記憶手段２０４に記憶する。表示データ生成手段２０５は、テレビ放送等のビデオ信号にＯＳＤデータを合成した状態で、ＮＴＳＣ方式に変換し、モニタ３に印加する。これにより、モニタ３の画面上にＯＳＤデータが表示される。使用者は、図示しないリモコン等を用いてＯＳＤ上で所望の番組を予約番組として選択し、その予約番組の情報（予約番組情報）を予約情報記憶手段２１３に記憶する。選局手段２１４は、予約情報記憶手段２１３を監視し、予約した番組の放送時刻になると、その番組を選局する。
【００２６】
本実施例では、使用者が指定した時刻に必要とするデータ放送の表示情報を印刷するために、予約された番組の画像データを指定時刻まで画像データ記憶手段に記憶しておき、指定時刻に印刷が終了するようにプリンタ２に印刷データを出力する。
【００２７】
図４は、データ放送の番組予約のフローチャートを示す。使用者は、図示しないリモコン等を使用して、データ放送の番組を予約する。
【００２８】
Ｓ４０１において、予約を行うかどうかを判定し、行わないことを選択すると番組予約モードは終了し、通常画面を表示する。
【００２９】
予約を行うことを選択すると、Ｓ４０２において番組情報記憶手段２１１の内容を基にＣＰＵ２０９で作成されたデータ放送の番組一覧のＯＳＤを表示する。
【００３０】
Ｓ４０３において番組検出を行うかどうかを判定し、検出を行う場合は、Ｓ４０４において、ニュース、教育、スポーツ及び音楽等のジャンル別の検出となり、ジャンル一覧をモニタ３に表示する。Ｓ４０５において、任意のジャンルを選択する。Ｓ４０６において、詳細ジャンル、日時及びキーワード等、更に詳しい条件を設定する。Ｓ４０７において、上記で設定された検出条件で番組情報記憶手段２１１から番組を検出し、Ｓ４０８において、検出結果をモニタ３に表示する。
【００３１】
Ｓ４０９において、検出された番組情報に希望の番組が存在しない場合、再検索を行うことを選択すると、Ｓ４０４に戻る。また、希望の番組が存在した場合、次に進む。
【００３２】
Ｓ４１０において、番組情報記憶手段２１１の番組、又は番組検出予約手段２１２で検出した番組の中から希望の番組を選択し、選択しなかった場合Ｓ４０１に戻る。
【００３３】
Ｓ４１１において、選択した番組に視聴制限があるかどうかを調べ、ある場合、Ｓ４１２において、どのような視聴制限であるかを表示し、内容を確認し、Ｓ４１３において、ＩＲＤ１の視聴制限の設定が満足されるものである場合、次のＳ４１７に進み、視聴制限の設定が満足されるものでない場合、Ｓ４１４に進む。
【００３４】
Ｓ４１４おいて、視聴制限がＮＧであることを表示し、Ｓ４１５において、視聴制限を解くかどうかを選択する。ここで、視聴制限を解かないことを選択すると、番組予約モードは終了し、通常画面を表示する。視聴制限を解くことを選択すると、Ｓ４１６において視聴制限の解除処理を行い、Ｓ４１３に戻り、再度、設定が満足すべきものかどうかを確認する。
【００３５】
Ｓ４１７において、選択された番組が未来の放送であるかどうかを確認し、未来の番組であれば、予約処理へと進み、Ｓ４１８において予約処理を実行するかどうか選択し、処理しないことを選択すると、番組予約モードは終了し、通常画面を表示する。処理することを選択すると、Ｓ４１９において印刷を行うかどうかを選択する。
【００３６】
印刷を行わないことを選択すると、モニタ３に出力することが設定される。
【００３７】
印刷を行うことを選択すると、Ｓ４２０において選択された番組が画像を含む番組かどうかを確認し、含むのであれば、Ｓ４２１において印刷する希望時間を設定する。希望時間は、番組の放送時間より後の時間を設定でき、時間指定しないと、受信後すぐに印刷開始となるようにプリンタ２への出力スケジュールが設定される。
【００３８】
選択された番組がデータ放送の画像（表示データ記憶手段２０４に記憶される。）を含まない場合、Ｓ４２２において、印刷不可能であることを表示し、印刷をキャンセルし、モニタ３に出力することが設定される。
【００３９】
次に、Ｓ４２３において、予約情報記憶手段２１３に必要事項を書き込み、このフローが終了する。
【００４０】
Ｓ４１７において、選択された番組が現在、放送中の番組であれば、Ｓ４２４において、印刷を行うかどうかを選択する。印刷を行わないことを選択すると、モニタ３に出力することがＳ４２７において設定される。印刷を行うことを選択すると、Ｓ４２５において、選択された番組が画像を含む番組かどうかを確認し、選択された番組が画像を含むのであれば、受信後すぐに印刷開始となるようにプリンタ２への出力スケジュールがＳ４２７において設定される。選択された番組が画像を含まない場合、Ｓ４２６において、印刷不可能な番組であることを表示し、Ｓ４２７において、印刷をキャンセルし、モニタ３に出力することが設定される。Ｓ４２７では更に、各設定を元に選局手段２１４を設定し、終了する。
【００４１】
このように、ＥＰＧ情報を元にデータ放送を検出し、文字又は図形等の画像を含むデータ放送を印刷する。印刷する際、印刷時間を設定でき、その情報を必要とする時間に印刷を行うことができる。また、指定時間に纏めて印刷することで、データ放送１番組の情報の大小に関わらず、紙面を有効に使うことができる。
【００４２】
（第２実施例）
印刷の際、データ放送を復号した時間及び内容を示す情報を画像データとともに記憶しておいてもよい。画像データ記憶手段３０１に情報の入手時間を記憶し、プリンタ２で印刷する際、この時間情報も一緒に印刷する。これにより、使用者は、情報の入手時間を知ることができる。
【００４３】
更に、画像データのＥＰＧ情報を画像データ記憶手段３０１に一緒に記憶しておくか、または、予約情報記憶手段２１３にある情報と対にして記憶しておくことで、同一内容の情報を検知することができ、最新のものだけを印刷することが可能となる。その際、重複している情報の受信履歴を印刷する。
【００４４】
この様な簡易な方法で、図５に示すように、予約したデータ放送について、重複無しに、しかも最新の情報を入手時間とともに印刷することができる。
【００４５】
（第３実施例）
データ放送の印刷の際、画像データの形状を印刷用紙に合わせて調整する。このために、ＣＰＵ２０９に、図示しないリモコンを用いて印刷条件を設定しておく。既定条件は、印刷用紙の大きさ、文字の大きさ、文字の形状、及び図形の最大または固定の大きさ等からなり、印刷条件記憶手段に記憶される。印刷条件記憶手段は、書き換え可能なメモリからなる。設定した値は、印刷データ生成手段３０２の印刷データ生成段階で設定条件として参照される。これにより、受信内容が所望の印刷条件で印刷される。
【００４６】
（その他）
以下、本発明の好ましい実施態様を列挙する。
【００４７】
【実施態様１】番組情報を含むデータ放送を受信する放送受信手段と、
前記放送受信手段から番組情報を受け取り記憶する番組情報記憶手段と、
前記番組情報記憶手段に記憶されている内容から目的のデータ放送番組を検出する番組検出手段と、
前記番組検出手段によって検出された番組情報を記憶する検出結果記憶手段と、
前記検出結果記憶手段の中から予約番組を選択する番組予約手段と、
前記番組予約手段で選択された前記予約番組のチャンネル及び放送日時を示す予約番組情報を記憶する予約情報記憶手段と、
前記予約情報記憶手段を監視し、前記予約番組の放送日時になったら前記放送受信手段に対して選局をする選局手段と、
前記選局手段により選局されたデータ放送番組を前記放送受信手段から受け取り、復号し、画像データを抽出する復号手段と、
前記復号手段により抽出された画像データを記憶する画像データ記憶手段と、前記画像データ記憶手段のデータから、印刷出力に適した印刷データを生成する印刷データ生成手段
とを有することを特徴とするデータ放送受信装置。
【００４８】
【実施態様２】前記印刷データ生成手段は、出力サイズを指定することができることを特徴とする実施態様１に記載のデータ放送受信装置。
【００４９】
【実施態様３】前記印刷データ生成手段は、文字の大きさ及び形状を変更することができることを特徴とする実施態様１に記載のデータ放送受信装置。
【００５０】
【実施態様４】前記印刷データ生成手段は、図等の画像の大きさを変更することができることを特徴とする実施態様１に記載のデータ放送受信装置。
【００５１】
【実施態様５】前記画像データ記憶手段に画像データを記憶する際、同一の内容もしくは内容に変更がある場合、画像を上書きすることを特徴とする実施態様１に記載のデータ放送受信装置。
【００５２】
【実施態様６】前記画像データ記憶手段に画像データを記憶する際、復号時刻も併せて記憶することを特徴とする実施態様１に記載のデータ放送受信装置。
【００５３】
【実施態様７】前記印刷データ生成手段は、前記画像記憶手段に記憶されている復号時刻も併せて印刷データとして生成することを特徴とする実施態様６に記載のデータ放送受信装置。
【００５４】
【発明の効果】
以上の説明から容易に理解できるように、本発明によれば、デジタル放送のデータ放送を印刷する際、例えば昨日から現在までのデータ放送で供給されているニュースを朝の一定の時間に纏めて印刷することが可能となる。
【００５５】
更に、情報の入手時間を印刷することで、入手時間も併せて知ることができる。情報の重複を検出することで、最新の情報のみを印刷することが可能となる。
【図面の簡単な説明】
【図１】本発明の第１実施例のシステム構成図である。
【図２】従来のＩＲＤの構成図である。
【図３】本発明のｌＲＤの構成図である。
【図４】番組予約のフローチャートである。
【図５】画像情報の印刷例である。
【符号の説明】
１：ＩＲＤ
２：プリンタ
３：モニタ
４：アンテナ
５：プリンタケーブル
６：モニタケーブル
７：アンテナケーブル
２０１：放送受信手段
２０２：デマルチプレクサ
２０３：ＭＰＥＧビデオデコーダ
２０４：表示データ記憶手段
２０５：表示データ生成手段
２０６：ＭＰＥＧオーディオデコーダ
２０７：音声データ記憶手段
２０８：Ｄ／Ａ変換器
２０９：ＣＰＵ（中央処理装置）
２１０：コンディショナル・アクセス・モジュール（ＣＡＭ）
２１１：番組情報記憶手段
２１２：番組検出予約手段
２１３：予約情報記憶手段
２１４：選局手段
３０１：画像データ記憶手段
３０２：印刷データ生成手段
【図１】
2004241881.tif 000003
【図２】
2004241881.tif 000004
【図３】
2004241881.tif 000005
【図４】
2004241881.tif 000006
【図５】
2004241881.tif 000007